(57)【要約】【課題】駐車支援装置搭載車又は自動運転車を機械式駐車装置に精度良く駐車させ得る機械式駐車システムを提供する。【解決手段】機械式駐車装置１の入出庫口３の内側における駐車目標位置に駐車枠を示す区画線Ｌ１を、駐車支援装置搭載車Ｃ１又は自動運転車Ｃ２の線検出手段が認識するよう施工すると共に、区画線Ｌ１の延長線Ｌ２を、駐車支援装置搭載車Ｃ１又は自動運転車Ｃ２の線検出手段が認識するよう入出庫口３の外側の路面に施工する。【選択図】図１
2018199925.tif 000002
【特許請求の範囲】
【請求項１】
駐車支援装置が搭載された駐車支援装置搭載車、又は乗員が関与せずに自動走行自在な自動運転車を機械式駐車装置に駐車させる機械式駐車システムであって、
前記機械式駐車装置の入出庫口の内側における駐車目標位置に駐車枠を示す区画線を、前記駐車支援装置搭載車又は自動運転車の線検出手段が認識するよう施工すると共に、前記区画線の延長線を、前記駐車支援装置搭載車又は自動運転車の線検出手段が認識するよう前記入出庫口の外側の路面に施工したことを特徴とする機械式駐車システム。
【請求項２】
前記線検出手段は、前記駐車支援装置搭載車又は自動運転車に取り付けられた車載カメラと、該車載カメラで撮影された映像に基づいて前記区画線及び延長線を認識する駐車支援コントローラとを備えた請求項１記載の機械式駐車システム。
【発明の詳細な説明】
【技術分野】
【０００１】
本発明は、機械式駐車システムに関するものである。
【背景技術】
【０００２】
近年、運転が苦手な人でも楽に駐車ができる技術として、インテリジェントパーキングアシストと称される駐車支援装置が搭載された駐車支援装置搭載車の開発が進められている。
【０００３】
前記駐車支援装置は、車庫入れ等の駐車の際、必要なステアリング操作を車両がアシストするものであり、シフトを「Ｒ（リバースレンジ）」に入れるだけで駐車枠を認識し、ドライバがＯＫボタンをタッチすれば自動でステアリング操作が行われる。このため、ドライバは周囲の安全確認とブレーキ操作による速度調整を行うだけで駐車区画の中央付近に精度良く駐車することが可能となる。
【０００４】
又、乗員が関与せずに自動走行自在な自動運転車の開発も進められている。
【０００５】
尚、前記駐車支援装置と関連する一般的技術水準を示すものとしては、例えば、特許文献１がある。
【先行技術文献】
【特許文献】
【０００６】
【特許文献１】特許５６４４２００号公報
【発明の概要】
【発明が解決しようとする課題】
【０００７】
ところで、自動車の普及に伴い、特に都市部では駐車場の敷地の確保が困難なことから、商業用の機械式駐車装置の建設が進められていると共に、大規模な集合住宅（マンション）等に付帯した機械式駐車装置の建設も進められている。
【０００８】
しかしながら、前記駐車支援装置搭載車による駐車支援や自動運転車による乗員無関与の自動駐車はあくまでも平置き駐車場に駐車することを前提としており、現時点において、前記機械式駐車装置に対して、駐車支援装置搭載車を駐車支援機能を作動させて駐車させたり、或いは自動運転車を全自動で駐車させたりすることは困難となっていた。
【０００９】
本発明は、上記従来の問題点に鑑みてなしたもので、駐車支援装置搭載車又は自動運転車を機械式駐車装置に精度良く駐車させ得る機械式駐車システムを提供しようとするものである。
【課題を解決するための手段】
【００１０】
上記目的を達成するために、本発明の機械式駐車システムは、駐車支援装置が搭載された駐車支援装置搭載車、又は乗員が関与せずに自動走行自在な自動運転車を機械式駐車装置に駐車させる機械式駐車システムであって、
前記機械式駐車装置の入出庫口の内側における駐車目標位置に駐車枠を示す区画線を、前記駐車支援装置搭載車又は自動運転車の線検出手段が認識するよう施工すると共に、前記区画線の延長線を、前記駐車支援装置搭載車又は自動運転車の線検出手段が認識するよう前記入出庫口の外側の路面に施工することができる。
【００１１】
前記機械式駐車システムにおいて、前記線検出手段は、前記駐車支援装置搭載車又は自動運転車に取り付けられた車載カメラと、該車載カメラで撮影された映像に基づいて前記区画線及び延長線を認識する駐車支援コントローラとを備えることができる。
【発明の効果】
【００１２】
本発明の機械式駐車システムによれば、駐車支援装置搭載車又は自動運転車を機械式駐車装置に精度良く駐車させ得るという優れた効果を奏し得る。
【図面の簡単な説明】
【００１３】
【図１】本発明の機械式駐車システムの実施例における機械式駐車装置をエレベータパーキングとした例を示す平面図である。
【図２】本発明の機械式駐車システムの実施例における機械式駐車装置をエレベータパーキングとした例を示す斜視図である。
【図３】本発明の機械式駐車システムの実施例における駐車支援装置を示す制御ブロック図である。
【図４】本発明の機械式駐車システムの実施例における機械式駐車装置を複数段式パーキングとした例を示す平面図である。
【図５】本発明の機械式駐車システムの実施例における機械式駐車装置を複数段式パーキングとした例を示す正面図である。
【発明を実施するための形態】
【００１４】
以下、本発明の実施の形態を添付図面を参照して説明する。
【００１５】
図１及び図２は本発明の機械式駐車システムの実施例における機械式駐車装置１をエレベータパーキング２Ａとした例を示している。
【００１６】
図１及び図２に示す如く、機械式駐車装置１としてのエレベータパーキング２Ａの入出庫口３の内側における駐車目標位置は、駐車支援装置４（図３参照）が搭載された駐車支援装置搭載車Ｃ１が積載されるパレットＰとなるため、該パレットＰの外周における両幅端位置に、駐車枠を示す車両前後方向へ延びる区画線Ｌ１を施工してある。更に、前記区画線Ｌ１の延長線Ｌ２を前記入出庫口３の外側の路面に施工してある。
【００１７】
ここで、前記駐車支援装置４は、駐車支援装置搭載車Ｃ１周囲の俯瞰映像を表示しながら駐車支援装置搭載車Ｃ１の駐車時におけるドライバの運転操作を支援するものであり、図３に示す如く、制御の中核をなす駐車支援コントローラ５に対して、前記駐車支援装置搭載車Ｃ１に取り付けられ且つ該駐車支援装置搭載車Ｃ１周囲の映像を撮影する複数（例えば、四個）の車載カメラ６と、ドライバによる操作入力を受け付ける操作入力デバイス７と、駐車支援のための映像を表示するディスプレイ８とを接続してなる構成を有している。
【００１８】
そして、前記車載カメラ６と、該車載カメラ６で撮影された映像が入力される前記駐車支援コントローラ５とから線検出手段９が構成されており、該線検出手段９により前記車載カメラ６で撮影された映像に基づいて前記区画線Ｌ１及び延長線Ｌ２が認識されるようになっている。
【００１９】
次に、上記実施例の作用を説明する。
【００２０】
前記機械式駐車装置１としてのエレベータパーキング２Ａに駐車支援装置搭載車Ｃ１を入庫する際には、先ず、駐車支援装置搭載車Ｃ１を図１の（イ）に示す位置に一旦停止させる。図１の（イ）に示す位置は、入出庫口３の前方領域に駐車支援装置搭載車Ｃ１の前部が収まり、ドライバの目線が一方の延長線Ｌ２を捉えて、該延長線Ｌ２がドライバから略真横に見える位置となる。
【００２１】
続いて、ドライバはステアリングを時計回りに略半回転させ、図１の（ロ）に示す位置まで進み、停止させる。
【００２２】
この後、ドライバがシフトを「Ｒ（リバースレンジ）」に入れると、車載カメラ６で撮影された映像がディスプレイ８に表示されると共に、該映像に基づいて駐車支援装置４の線検出手段９により区画線Ｌ１及び延長線Ｌ２が認識され、駐車目標位置となるパレットＰの駐車枠が認識される。ドライバがディスプレイ８内に表示されたＯＫボタンをタッチすると、操作入力デバイス７から駐車支援コントローラ５へ信号が入力され、駐車支援動作が開始される。
【００２３】
前記駐車支援動作が開始されると、自動でステアリング操作が行われるため、ドライバが周囲の安全確認とブレーキ操作による速度調整を行うだけで、駐車支援装置搭載車Ｃ１は図１の（ハ）の位置を経て入出庫口３から機械式駐車装置１としてのエレベータパーキング２Ａの内部へ後退する形で進入し、前記パレットＰに乗り上げ、駐車枠の中央付近に精度良く収まる。
【００２４】
因みに、図１には、駐車支援装置搭載車Ｃ１が図１の右方向から走行してきて、機械式駐車装置１としてのエレベータパーキング２Ａに入庫する場合を示しているが、駐車支援装置搭載車Ｃ１が図１の左方向から走行してきて、機械式駐車装置１としてのエレベータパーキング２Ａに入庫する場合、図１は左右反転したものとなる。
【００２５】
本実施例の場合、平置き駐車場に駐車することを前提としていた駐車支援装置搭載車Ｃ１であっても、区画線Ｌ１及び該区画線Ｌ１の延長線Ｌ２を線検出手段９が認識することにより、前記機械式駐車装置１としてのエレベータパーキング２Ａに対して、駐車支援装置搭載車Ｃ１を駐車支援機能を作動させて駐車させることが可能となる。
【００２６】
尚、前記駐車支援装置搭載車Ｃ１に代えて、乗員が関与せずに自動走行自在な自動運転車Ｃ２としても良い。該自動運転車Ｃ２も駐車支援装置搭載車Ｃ１と同様、平置き駐車場に駐車することを前提としていた車両であるが、区画線Ｌ１及び該区画線Ｌ１の延長線Ｌ２を自動運転車Ｃ２の線検出手段９が認識するようにすれば、前記機械式駐車装置１としてのエレベータパーキング２Ａに対して、自動運転車Ｃ２を全自動で駐車させることも可能となる。
【００２７】
又、前記機械式駐車装置１は、エレベータパーキング２Ａに限定されるものではなく、例えば、図４及び図５に示すような複数段式パーキング２Ｂとしても良いことは言うまでもない。
【００２８】
こうして、駐車支援装置搭載車Ｃ１又は自動運転車Ｃ２を機械式駐車装置１に精度良く駐車させ得る。
【００２９】
尚、本発明の機械式駐車システムは、上述の実施例にのみ限定されるものではなく、機械式駐車装置は、エレベータパーキングや複数段式パーキングに限らず、垂直循環式のタワーパーキングにも適用可能なこと等、その他、本発明の要旨を逸脱しない範囲内において種々変更を加え得ることは勿論である。
【符号の説明】
【００３０】
１        機械式駐車装置
３        入出庫口
４        駐車支援装置
５        駐車支援コントローラ
６        車載カメラ
９        線検出手段
Ｃ１      駐車支援装置搭載車
Ｃ２      自動運転車
Ｌ１      区画線
Ｌ２      延長線
【図１】
2018199925.tif 000003
【図２】
2018199925.tif 000004
【図３】
2018199925.tif 000005
【図４】
2018199925.tif 000006
【図５】
2018199925.tif 000007